(57)【要約】      （修正有）【課題】ブラシ台の表面に直角植設したブラシ毛束のみで構成され、咬合面にフィットさせた状態で歯磨きを行うことが可能な歯ブラシを提供する。【解決手段】把持部と一体または着脱可能なネック部３０と、ネック部３０と一体に形成され、表面に複数本のブラシ毛３５で形成されたブラシ毛束群３６が所要間隔をあけて植設されたブラシ台３４を有するブラシ部３２を備え、ブラシ毛束群３６は、ブラシ台３４の平面中央位置を含む所要範囲に植設された第１ブラシ毛束３７、ブラシ台３４の平面外周縁に沿って植設された第２ブラシ毛束３８、第１ブラシ毛束３７と第２ブラシ毛束３８との間の位置に植設された第３ブラシ毛束３９で構成され、ブラシ毛束群３６は、第１ブラシ毛束３７、第２ブラシ毛束３８、第３ブラシ毛束３９の順に徐々に短くなることを特徴とする歯ブラシである。【選択図】図２
0003221071.tif 000002
【実用新案登録請求の範囲】
【請求項１】
把持部と一体または着脱可能に設けられたネック部と、
前記ネック部と一体に形成されると共に、表面に複数本のブラシ毛により形成されたブラシ毛束が所要間隔をあけて複数植設されたブラシ台を有するブラシ部とを備え、
前記ブラシ毛束は、前記ブラシ台の平面中央位置を含む所要範囲に植設された第１ブラシ毛束と、前記ブラシ台の平面外周縁に沿って植設された第２ブラシ毛束と、前記第１ブラシ毛束と前記第２ブラシ毛束との間の位置に植設された第３ブラシ毛束とにより構成され、
前記ブラシ毛束の長さは、前記第１ブラシ毛束、前記第２ブラシ毛束、前記第３ブラシ毛束の順に徐々に短くなっていることを特徴とする歯ブラシ。
【請求項２】
前記第１ブラシ毛束と前記第２ブラシ毛束を構成する前記ブラシ毛は先端部分の所要範囲が徐々に先細となる形状に形成されていて、前記第３ブラシ毛束を構成する前記ブラシ毛は長さ方向において径寸法が等しく形成されていることを特徴とする請求項１記載の歯ブラシ。
【考案の詳細な説明】
【技術分野】
【０００１】
本考案は歯ブラシに関する。
【背景技術】
【０００２】
効率的な歯磨きを可能にした歯ブラシは従来から多種多様なものが提案されている。しかしながら多くの歯ブラシはブラシ毛の長さが均等になっているため、歯の表面の凹凸にフィットさせた状態で歯磨きを行うことは難しい。歯の表面、特に咬合面を確実にブラッシングすることを目的とした歯ブラシ一例として、特許文献１に開示されているようなものが提案されている。
【先行技術文献】
【特許文献】
【０００３】
【特許文献１】特開２０１４−１５６号公報
【考案の概要】
【考案が解決しようとする課題】
【０００４】
特許文献１に開示されている構成の歯ブラシは、ブラシ台に対して傾斜させた状態でブラシ毛を植設した複数本のブラシ毛束により錐状のブラシ毛束群を形成し、錐状のブラシ毛束群によって咬合面のブラッシングを行うというものであるが、ブラシ台に傾斜させた状態でブラシ毛束を植設する必要があり、製造コストが高騰してしまうといった課題を有している。
【課題を解決するための手段】
【０００５】
そこで本考案は、従来の歯ブラシと同様にブラシ台の表面に対して直角方向に植設したブラシ毛束のみで構成した歯ブラシでありながらも、咬合面にフィットさせた状態で歯磨きを行うことが可能な構成を有する歯ブラシの提供を目的としている。
【０００６】
上記課題を解決するために本考案者は鋭意研究を行った結果、以下の構成に想到した。すなわち、把持部と一体または着脱可能に設けられたネック部と、前記ネック部と一体に形成されると共に、表面に複数本のブラシ毛により形成されたブラシ毛束が所要間隔をあけて複数植設されたブラシ台を有するブラシ部とを備え、前記ブラシ毛束は、前記ブラシ台の平面中央位置を含む所要範囲に植設された第１ブラシ毛束と、前記ブラシ台の平面外周縁に沿って植設された第２ブラシ毛束と、前記第１ブラシ毛束と前記第２ブラシ毛束との間の位置に植設された第３ブラシ毛束とにより構成され、前記ブラシ毛束の長さは、前記第１ブラシ毛束、前記第２ブラシ毛束、前記第３ブラシ毛束の順に徐々に短くなっていることを特徴とする歯ブラシである。
【０００７】
これにより、第１ブラシ毛束を咬合面の凹部に、第２ブラシ毛束を歯の側面に、第３ブラシ毛束が咬合面と側面と境界部分に、それぞれフィットさせることができ、歯の表面全体に対してブラシ毛をフィットさせた状態でブラッシングすることができる。
【０００８】
また、前記第１ブラシ毛束と前記第２ブラシ毛束を構成する前記ブラシ毛は先端部分の所要範囲が徐々に先細となる形状に形成されていて、前記第３ブラシ毛束を構成する前記ブラシ毛は長さ方向において径寸法が等しく形成されていることが好ましい。
【０００９】
これにより、細かい凹凸が存在する咬合面と歯の側面には先細形状に形成された所謂極細毛に形成されたブラシ毛を当接させることができ、咬合面と歯の側面の境界部分には剛性の高い寸胴形状のブラシ毛を当接させることで、より効率的なブラッシングが可能になる。
【考案の効果】
【００１０】
本考案にかかる構成を採用することにより、従来の歯ブラシと同様にブラシ台の表面に対して直角方向に植設したブラシ毛束のみで構成した歯ブラシでありながらも、咬合面をはもちろんのこと、歯の表面全体にブラシ毛束の先端部分をフィットさせた状態での歯磨きが可能になる。このようにブラシ台の表面に対して直角に植設したブラシ毛束のみでブラシ部を形成しているため、高性能な歯ブラシを安価に提供することができる。
【図面の簡単な説明】
【００１１】
【図１】第１実施形態における歯ブラシの全体斜視図である。
【図２】図１における歯ブラシのブラシ部拡大斜視図である。
【図３】第２実施形態における歯ブラシのブラシ部拡大斜視図である。
【図４】第３実施形態における歯ブラシのブラシ部拡大斜視図である。
【考案を実施するための形態】
【００１２】
以下、本考案における歯ブラシの実施形態について図面に基づいて具体的に説明する。
【００１３】
（第１実施形態）
本実施形態における歯ブラシ１０は、図１に示すように、把持部２０と、把持部２０に着脱可能に成形されたネック部３０と、ネック部３０に一体形成されたブラシ部３２を備えている。本実施形態における把持部２０の内部には振動モータとバッテリ（いずれも図示せず）が内蔵されている。使用者が把持部２０の表面に配設されたスイッチ２２を押下することにより、オンーオフの切り替えができる。スイッチ２２の操作により電源がオン状態になると、バッテリから振動モータに電力が供給され、ネック部３０を介してブラシ部３２を振動させることができる。このように本実施形態においては、いわゆる電動式の歯ブラシ１０について説明しているが、振動モータを内蔵しないいわゆる手動式の歯ブラシ１０とすることもできる。
【００１４】
本実施形態におけるブラシ部３２は、図２に示すように平面視円形形状に形成されたブラシ台３４と、ブラシ台３４の上面に対して直角方向に植設された複数本のブラシ毛３５により構成されたブラシ毛束群３６を所要間隔で複数植設することにより形成されている。本実施形態におけるブラシ毛束群３６は、第１ブラシ毛束３７と、第２ブラシ毛束３８と、第３ブラシ毛束３９とにより構成されている。
【００１５】
第１ブラシ毛束３７は、ブラシ台３４の平面中央位置を含む所要範囲に所要間隔をあけて設けられている。第２ブラシ毛束３８は、ブラシ台３４の平面外周縁に沿って１列に所要間隔をあけて設けられている。第３ブラシ毛束３９は、第１ブラシ毛束３７と第２ブラシ毛束３８との間の位置に所要間隔をあけて設けられている。本実施形態におけるブラシ毛束群３６は、いずれもＰＢＴ（ポリブチレンテレフタレート）のブラシ毛３５が用いられている。
【００１６】
ブラシ部３２のブラシ毛束群３６は、第１ブラシ毛束３７、第２ブラシ毛束３８、第３ブラシ毛束３９の記載順に長さ（ブラシ台３４の上面からの起立高さ）が徐々に短くなっている。このようなブラシ毛束群３６の構成を採用することにより、歯磨きの際は、ブラシ毛束群３６を咬合面に向けて当接させるだけで、最も背が高い第１ブラシ毛束３７を咬合面に、次に背が高い第２ブラシ毛束３８を歯の側面（頬側と舌側の両面と遠心および近心）に、最も背が低い第３ブラシ毛束３９を咬合面と歯の側面の境界部分に確実にフィットさせることができる。
【００１７】
また、本実施形態においては、第１ブラシ毛束３７と第２ブラシ毛束３８を構成するブラシ毛３５は、先端部分の所要高さ範囲において先端部分に接近するにつれて徐々に先細になる所謂極細毛に形成されている。これにより、咬合面と歯の側面（頬側と舌側の両面と遠心および近心）にブラシ毛の先端部分が複雑な凹凸面をなす咬合面と歯の側面にフィットすると共に、歯と歯茎の間（歯周ポケット）へアクセスすることで確実なブラッシングが可能になる点で好都合である。
【００１８】
加えて本実施形態においては、第３ブラシ毛束３９を構成するブラシ毛３５は、ブラシ台３４への植設部分から先端部分にかけて径寸法が等しい寸胴形状をなしているため、剛性を高めることができ、咬合面と歯の側面との境界部分に対してしっかりと力を加えた状態でブラッシングすることができる点で好都合である。
【００１９】
このように、ブラッシングの対象となる部位に合わせてブラシ毛束群３６の長さやブラシ毛３５の形状を変更することにより、使用者は通常の歯ブラシと同様にして歯磨き動作をするだけで（特別な歯磨き技術をすることなく）、咬合面を含む歯の表面全体に対して適切なブラッシングをすることができる点において好適である。
【００２０】
（第２実施形態）
図３に示すように、本実施形態におけるブラシ部３２の基本構成は第１実施形態と同様であるため、ここでは、第１実施形態において用いた符号を図面内に付すことで、ここでの詳細な説明は省略するものとする。本実施形態においては、ブラシ台３４の上面の中央位置を含む所要範囲内に平面視十字状配列で複数の第１ブラシ毛束３７が植設されている。換言すると、本実施形態におけるブラシ台３４の平面中央位置には、第１ブラシ毛束３７による十字形の柱状部が形成されているともいえる。このような第１ブラシ毛束３７の構成を採用することで、極細毛のブラシ毛３５からなる第１ブラシ毛束３７であっても適度な剛性を備えさせることができ、咬合面に対するブラッシングをより効率的に行うことができる点で好都合である。
【００２１】
(第３実施形態)
第１実施形態および第２実施形態においては、共にブラシ台３４が平面視円形形状に形成されたものであるが、図４に示すように平面視長方形状のブラシ台３４においても本考案を適用することができる。本実施形態における第３ブラシ毛束３９は第１ブラシ毛束３７と第２ブラシ毛束３８とにより区切られた領域に設けられていて、互いに離反して配設されている点が特徴的である。
【００２２】
このようなブラシ毛束群３６の構成を採用することにより、第１ブラシ毛束３７および第２ブラシ毛束３８は、先の実施形態同様に咬合面および歯の側面（頬側と舌側）にフィットさせることが可能になり、第３ブラシ毛束３９は第１ブラシ毛束３７および第２ブラシ毛束３８の剛性を補助し、咬合面および歯の側面を適度な押圧力でブラッシングすることが可能になる。
【００２３】
なお、図示はしないが、ブラシ台３４の平面視形状が長方形に代表される四角形の場合であっても、第１実施形態や第２実施形態における第３ブラシ毛束３９と同様に、第１ブラシ毛束３７および第２ブラシ毛束３８との間の単独領域に第３ブラシ毛束３９を植設させることも可能である。
【００２４】
以上に、本考案にかかる歯ブラシ１０について複数の実施形態に基づいて詳細に説明をしたが、本考案の技術的範囲は、以上の実施形態に限定されるものではない。すなわち、考案の要旨を変更しない範囲における適宜変更を施した構成は、本考案の技術的範囲に属する。例えば、第１ブラシ毛束３７と第２ブラシ毛束３８を構成するブラシ毛３５を寸胴形状にしても良いし、第３ブラシ毛束３９を構成するブラシ毛３５を先端所要範囲において徐々に先細にした所謂極細毛にしても良い。
【００２５】
また、以上の実施形態においては、ネック部３０が把持部２０に着脱可能な交換用歯ブラシ１０の形態について説明しているが、把持部２０とネック部３０とが一体形成された形態を採用することもできる。
【００２６】
また、本実施形態においては、ブラシ毛３５の材料をＰＢＴ（ポリブチレンテレフタレート）としているが、ナイロン等の他の合成樹脂や動物毛等の他の材料によりブラシ毛３５を形成することも可能である。
【符号の説明】
【００２７】
１０  歯ブラシ，
２０  把持部，２２  スイッチ，
３０  ネック部，
３２  ブラシ部，３４  ブラシ台，３５  ブラシ毛，３６  ブラシ毛束群，
３７  第１ブラシ毛束，３８  第２ブラシ毛束，３９  第３ブラシ毛束
【図１】
0003221071.tif 000003
【図２】
0003221071.tif 000004
【図３】
0003221071.tif 000005
【図４】
0003221071.tif 000006